(57)【要約】  ヘアブラシ装置は、ハウジングと、ブラシとを備え、前記ブラシ本体は、高剛性プラスチック材料から形成されており、本願発明の種類の装置の機能性における変化を可能にするために、少なくとも２つの異なる位置において取り付けられることができる。
2015526225.tif 000002
【特許請求の範囲】
【請求項１】
ハウジングと、
前記ハウジングに対して取り付けられることができるブラシ面と、
を備えるヘアブラシ装置であって、
前記ブラシ面は、少なくとも２つの表面を有し、その少なくとも２つの表面のそれぞれには、複数の剛毛が突出しており、それによって、前記ブラシ面は、前記表面のうちの選択された表面が使用されることを可能にするために、前記ハウジングにおいてリバーシブルである、ヘアブラシ装置。
【請求項２】
前記ブラシは、ポリプロピレン及びポリカーボネートＡＢＳプラスチックから形成されることを特徴とする請求項１に記載のヘアブラシ装置。
【請求項３】
第１のブラシ面は、髪の毛のもつれをほどくために使用される剛毛を備え、
第２のブラシ面は、前記髪の毛を仕上げるために動作可能である、ことを特徴する請求項１又は２に記載のヘアブラシ装置。
【請求項４】
前記第１のブラシ面は、剛毛の複数の長さを備え、
短い剛毛の列の後に、中間の長さの剛毛の列が続き、その後長い剛毛の列が続き、
それらの剛毛に対する全ての後に、ブラシ表面に対する全ての長い剛毛の列が続くことを特徴とする請求項２に記載のヘアブラシ装置。
【請求項５】
ブラシ面の複数の剛毛は、異なっており、
前記複数の剛毛は、１５ｍｍの複数の長い剛毛、９ｍｍの複数の中間の長さの剛毛、及び６ｍｍの複数の短い剛毛を含むように前記第１のブラシ面のために配置され、剛毛は均一に１５ｍｍであることを特徴とする請求項１〜４のいずれか一項に記載のヘアブラシ装置。
【請求項６】
前記複数の剛毛は、ブラシ面の表面にモールドされることを特徴とするヘアブラシ装置。
【請求項７】
ブラシ本体上のテクスチャ表面は、使用時に改善された把持を提供することを特徴とするヘアブラシ装置。
【請求項８】
対照的な本体は、２つの対称軸を有する略８の字形状であることを特徴とするヘアブラシ装置。
【請求項９】
ブラシ面の少なくとも１つの縁部上にタブを備えるヘアブラシ装置であって、
当該タブは、前記ヘアブラシ装置の縁部における対応する凹部内に差し込まれ、
それによって、使用者がブラシ面を容易に取り外すことを可能にするために、ブラシ面のプラスチックタブは、ブラシ本体に突出している、ヘアブラシ装置。
【発明の詳細な説明】
【技術分野】
【０００１】
本願発明は、ヘアブラシ装置に関し、特に両面式ヘアブラシ装置に関する。
【背景技術】
【０００２】
ヘアブラシには、幅広い種類及び設計が存在する。それぞれの設計は、所定の機能を実行するために適合されている。
【０００３】
ヘアブラシの異なるスタイルは、多くの方法で変化することができ、各特徴は、特定の性質を有するヘアブラシを提供し、それを所定の機能に適合させる。特に、ブラシの形状及び使用された剛毛材料は変更することができ、剛毛材料のいくつかの例は、雄豚の剛毛、ナイロン、又は金属である。
【０００４】
コンパクトな形態におけるヘアブラシが生み出されていることは先行技術から周知である。しかしながら、それらの装置は、それらの剛毛のスタイルが対象となる機能のためにのみ最適化される。これは、例えば、髪の毛のもつれをほどく、滑らかにする、又はボリュームを出すことができる。
【０００５】
一般的に天然の剛毛が差し込まれた円形状の木製部品を備えるハンドルがない軍隊スタイルのブラシは、それらのコンパクトな性質にとって特に有益であると考えられている。しかしながら、組み込まれた剛毛のスタイルに起因して、それらは、軍隊に見られるような短いヘアスタイルのためにのみ適している。
【０００６】
さらに、使用者がその装置に対する把持を失うことを引き起こすハンドルの欠如が困難だと判明するので、そのコンパクトな装置の形状について関心が生じている。
【０００７】
いくつかのコンパクトなブラシは、その問題を解決する設計を組み込もうと努めている。しかしながら、この設計が、右利きである使用者のみにとって使用を容易にさせるので、これは、制限的であることが判明している。さらに、使用時に、その装置に対するしっかりした把持を達成することに関連した問題が依然として存在している。
【０００８】
さらに、コンパクトなブラシは、単一の機能に適した単一の剛毛スタイルのみのそれらの組み込みに起因して特に制限されることが考慮されている。例えば、髪の毛のもつれをほどくブラシは、髪の毛が濡れている場合に有益とされる場合があるが、髪の毛を滑らかにする又はボリュームを出すための異なるブラシスタイルが普段は要求される場合がある。
【０００９】
そのようなものとして、使用者は多くの場合に、それらの変更の必要性に合うように、１つ以上のヘアブラシを保有することが必要であることを発見する。特に空間が制限された場合に、伝統的に設計されたヘアブラシを収容するために必要とされる空間の量を仮定すると、これは不便とされる場合がある。
【００１０】
それ故に、出願人は、単一の装置内に、ヘアブラシの２つの異なるスタイルを提供するリバーシブルのブラシ面を組み込む装置であって、２つの異なるスタイルのそれぞれが異なる機能を有する、装置を発達させてきた。
【００１１】
さらに、この装置は、テクスチャ表面を組み込む新規な本体形状を提供し、それによって、両手で同じように使える方法で使用者が効果的に当該装置を把持する能力を改善することを組み込む。この特徴は、左利きの使用者のための左右対称の装置を生み出す必要性を取り除くとともに、全ての使用者にとって装置に対する改善された把持を提供する。
【発明の概要】
【発明が解決しようとする課題】
【００１２】
それ故に、前述した問題を克服する又は最小化させるヘアブラシ装置を提供することは、本願発明の目的である。
【課題を解決するための手段】
【００１３】
それ故に、本願発明に従って、ハウジングと、前記ハウジングに対して取り付けられることができるブラシ面を備えるヘアブラシ装置であって、ブラシ面は少なくとも２つの表面を有し、それらの２つの表面のそれぞれには、複数の剛毛が突出しており、ブラシ面は、前記ハウジング内に再度方向付けされることができ、それによって、それらの２つの表面のそれぞれが使用されることができる、ヘアブラシ装置が提供される。
【００１４】
好ましくは、ブラシは、ポリプロピレン及びポリカーボネートＡＢＳプラスチックから形成される
【００１５】
その好ましい形態において、第１のブラシ面は髪の毛のもつれをほどく機能を実行し、第２のブラシ面は仕上げ機能を実行する。しかしながら、それらのブラシ面は、使用者の必要性に応じて変更することができる。
【００１６】
第１のブラシ面は、少なくとも３つの長さの剛毛を備える。それらの剛毛は、略平行な列を繰り返して配置される。それには、短い剛毛の列が存在し、短い剛毛の列の後に中間の長さの剛毛の列が続き、その後長い剛毛の列が続く。この列のパターンは、ブラシ面全体に亘って繰り返される。
【００１７】
好ましくは、第２のブラシ面の剛毛は、均一な長さで設けられており、略球状の先端部を有する。これらは、頭皮をマッサージし、髪の毛に対する損傷を防ぐ表面を提供する。
【００１８】
好ましくは、第１のブラシ面において、長い剛毛は１５ｍｍであり、中間の長さの剛毛は９ｍｍであり、短い剛毛は６ｍｍである。また、第２のブラシ面において、剛毛は均一に１５ｍｍである。
【００１９】
好ましくは、ブラシ面は、ポリプロピレン又は可撓性他の適切なプラスチック材料からなる。また、剛毛は、ブラシ面の表面と連続的になるようにモールドされる。
【００２０】
より好ましくは、ヘアブラシの本体は、その装置が器用に使用者の手に適合することを可能にするために、略対称的である。
【００２１】
好ましくは、対称的な本体は、２つの対称面で略８の字形状である。
【００２２】
より好ましくは、テクスチャ表面がブラシ面上に設けられ、このテクスチャ表面は、使用時に改善された把持を使用者に提供する。
【００２３】
使用時に本体部分内にブラシ面を固定するための機構が設けられる。その機構はブラシ面の外側周囲上に複数の突出部を備え、当該突出部は、本体の内側縁部上の対応する凹部内に差し込まれ、ブラシ面は、容易に取り外されることができ、リバーシブルの機能性を提供するために再度固定されることができる。
【００２４】
さらに、タブは、ブラシ面の少なくとも１つの縁部に設けられており、そのタブは、ヘアブラシ装置の本体部分の縁部上の対応する凹部内に差し込まれる。それによって、ブラシ面のプラスチックタブは、そのハウジングからブラシ面を容易に取り外すことを可能にするために、本体部分に突出している。好ましくは、タブは実質的に、およそ１ｍｍからおよそ５ｍｍだけブラシ本体に突出している。特に、２．５ｍｍだけ突出しているタブが所望される。
【００２５】
好ましくは、タブがブラシ本体内に挿入される場合に、凹所がタブの後ろに設けられる。それによって、使用者の指は、タブを把持するために使用されることができ、ブラシ本体からブラシ面を取り外すことができる。
【００２６】
本願発明の実施形態は、例示の目的のみである添付した図面を参照して記載されるであろう。
【図面の簡単な説明】
【００２７】
【図１ａ】第１のブラシ面の斜視図である。
【図１ｂ】第１のブラシ面の斜視図である。
【図２】第１のブラシ面の側面図である。
【図３】ブラシ本体の平面図である。
【図４】ヘアブラシ装置の分解斜視図である。
【発明を実施するための形態】
【００２８】
本願発明の一の実施形態において、本体部分（１０）は、２つの個々の部品、すなわち、上部領域（１０ａ）と、リバーシブルなブラシ面（１１）を保持する別個の下部領域（１０ｃ）と、を備える。
【００２９】
ブラシ本体（１０）は、ポリカーボネートＡＢＳプラスチックなどの高剛性プラスチック材料からなる。
【００３０】
図３における平面図に示されるように、ブラシ本体（１０）は実質的に対称的であり、両手で同じように使える方法で使用者の手のひらに適合するように８の字形状とされる。これは、左利きの使用者のための左右対称のブラシを提供する必要性を取り除き、それ故に、製造コストを節約する。
【００３１】
ブラシ本体（１０ａ）の上部は、テクスチャ表面を提供する別個の領域（１０ｂ）を有する。それによって、先行技術で確認された問題を取り除くために、使用時に、使用者は、装置のより良好な把持を得ることができる。このテクスチャ表面は、モールド工程中にモールドによって提供されてもよい。
【００３２】
リバーシブルのブラシ面（１１）は、その第１の面で複数の剛毛（１２）を有する。これらの複数の剛毛（１２）は、少なくとも３つの異なった長さで提供される。つまり、長い剛毛（１２ａ）、中間の長さの剛毛（１２ｂ）、及び短い剛毛（１２ｃ）で提供される。図２に見られるように、それらの長さは１５ｍｍ、９ｍｍ、及び６ｍｍとされる。
【００３３】
複数の剛毛（１２）は、短い剛毛（１２ｃ）の列の後に、中間の長さの剛毛（１２ｂ）の列が続き、その後長い剛毛（１２ａ）の列が続くように配置される。このパターンは、ブラシ面に亘って繰り返される。
【００３４】
剛毛（１２）の各列は、先行する剛毛の列に対して略平行である。
【００３５】
長い剛毛（１２ａ）は髪の毛の下部層と係合し、中間の長さの剛毛（１２ｂ）は髪の毛の中間部及び先端部と係合し、短い剛毛（１２ｃ）は滑らかにする機能を提供するために、髪の毛の上部層と係合する。そのようなものとして、３つの長さの剛毛（１２）は、従来必要とされているような初めに髪の毛を区分する必要もなく、髪の毛のもつれをほどくことを可能にする、特に髪の毛の下部のもつれをほどくことを可能にする。
【００３６】
さらに、図１Ｂに示されるように、リバーシブルのブラシ面（１１）は、複数の剛毛（１４）が設けられた第２のブラシ面を有する。これらの複数の剛毛（１４）は、それらの外側先端部で略球状部分を有する。ボール状の先端部を有する剛毛（１４）は、少なくとも１つの均一の長さで設けられる。
【００３７】
交互の剛毛（１４）は、髪の毛をほどく作用が必要とされていない場合に使用するための仕上げ機能を実行するように設計される。ボール状の先端部を有する剛毛（１４）は特に、つやがあり、滑らかであり、風になびくストレートヘアのスタイルを作るのにうまく適合しており、また、長時間にわたってカールしたヘアスタイルを維持するのにもうまく適合している。ボール状の先端部を有する剛毛（１４）はさらに、天然油（natural oil）の生成に刺激を与え、且つ毛根を強くする頭皮マッサージ作用を提供する。この頭皮マッサージ作用は、より健康な髪の毛を促進することができる。
【００３８】
交互の剛毛（１４）は、ポリプロピレンからなる。第２のブラシ面上の剛毛（１４）は、略平行な複数の列で配置される。前記複数の列のそれぞれにおける剛毛（１４）のそれぞれの間には、約１０ｍｍの空間が存在する。
【００３９】
両方のブラシ面では、各略平行な列は、先行する列とオフセットしている。それによって、各剛毛は、先行する列から２つの剛毛の間の位置に載置されている。
【００４０】
両方のセットの剛毛（１２）及び（１４）は、略可撓性のプラスチック材料、例えばポリプロピレンからなる。それによって、それらの剛毛は、天然の剛毛（例えば、雄豚の剛毛）の動作に似せる方法で、遭遇する髪の毛のもつれで曲がるであろう。それらの剛毛は、上品であり、髪の毛に対する損傷を最小化させることが知られている。
【００４１】
図４における分解図に示されるように、リバーシブルのブラシ面（１１）は、ブラシ面（１１）の外側周囲の周りに、複数の突出部（１６ａ）によって本体部分（１０）に非永久に固定される。
それらの複数の突出部（１６ａ）は、ブラシ本体（１０ｃ）の下部の内側周囲の周りにおける対応する凹部（１６ｂ）内に挿入される。
【００４２】
リバーシブルのブラシ面（１１）は、２．５ｍｍだけ本体部分に突出するタブ（１３）によって本体部分（１０）から取り外されることができる。
それによって、使用者は、図３に示されるように、ブラシ本体（１０）からブラシ面を容易に取り外すことができる。突出しているタブ（１３）は、ブラシ本体（１０ｃ）の下部における対応する凹部（１５）内に差し込まれる。
【００４３】
ブラシ面（１１）がブラシ本体（１０）内に挿入され、タブ（１３）が対応する凹部（１５）内に載置される場合に、ブラシ本体（１０）からリバーシブルのブラシ面（１１）の取り外しをさらに容易にするために、使用者がタブ（１３）を容易に把持することができるために、タブの後ろに凹所が残る。
【００４４】
本願発明が、例示のためにだけに提供された上記の実施形態の詳細に全く限定されないことは、理解されるべきである。
【符号の説明】
【００４５】
１０  本体部分、ブラシ本体
１０ａ  上部領域
１０ｂ  別個の領域
１０ｃ  下部領域
１１  ブラシ面
１２  複数の剛毛
１２ａ  長い剛毛
１２ｂ  中間の長さの剛毛
１２ｃ  短い剛毛
１３  タブ
１４  複数の剛毛
１５  凹部
１６ａ  突出部
１６ｂ  凹部
【図１ａ】
2015526225.tif 000003
【図１ｂ】
2015526225.tif 000004
【図２】
2015526225.tif 000005
【図３】
2015526225.tif 000006
【図４】
2015526225.tif 000007
【国際調査報告】
2015526225.tif 000008
2015526225.tif 000009
2015526225.tif 000010
2015526225.tif 000011
2015526225.tif 000012